(57)【要約】【課題】灌水システムの点滴灌水部における管内水流の圧力損失を低減する。【解決手段】灌水システム１は、植物が生育する場所の表面上（表面３３上）に設けられて、水供給源からの水を前記場所に供給可能なドリップチューブ１０ａを有する。ドリップチューブ１０ａは、その長手方向の複数点にて水を点滴状に前記場所に滴下可能である。ドリップチューブ１０ａは、植物が生育する場所の表面上（表面３３上）に沿って、直線部１７と湾曲部１８とが交互に連続するつづら折り状に延びている。隣り合う直線部１７同士は互いに平行に延びている。湾曲部１８は半円状に湾曲している。灌水システム１の灌水対象である場所（植物が生育する場所）は、例えば、建築物の屋上の少なくとも一部である。【選択図】図２
2017000044.tif 000002
【特許請求の範囲】
【請求項１】
植物が生育する場所の表面上に設けられて、水供給源からの水を長手方向の複数点にて点滴状に滴下可能なドリップチューブを有し、
前記ドリップチューブは、前記表面に沿ってつづら折り状に延びている、灌水システム。
【請求項２】
前記表面は、前記場所における植生基材の表面である、請求項１に記載の灌水システム。
【請求項３】
植物が生育する場所に埋設されて、水供給源からの水を長手方向の複数点にて点滴状に前記場所中に供給可能なドリップチューブを有し、
前記ドリップチューブは、前記場所中にてつづら折り状に延びている、灌水システム。
【請求項４】
前記ドリップチューブは、前記場所の植生基材中にてつづら折り状に延びている、請求項３に記載の灌水システム。
【請求項５】
前記植生基材は土壌である、請求項２又は請求項４に記載の灌水システム。
【請求項６】
前記ドリップチューブは、直線部と湾曲部とが交互に連続する前記つづら折り状に延びており、隣り合う前記直線部同士が互いに平行に延びている、請求項１〜請求項５のいずれか１つに記載の灌水システム。
【請求項７】
前記ドリップチューブは、２つの直線部と１つの湾曲部とからなる前記つづら折り状に延びており、前記２つの直線部同士が互いに平行に延びている、請求項１〜請求項５のいずれか１つに記載の灌水システム。
【請求項８】
前記湾曲部は半円状に湾曲している、請求項６又は請求項７に記載の灌水システム。
【請求項９】
前記半円状における半径が１５０ｍｍ以上である、請求項８に記載の灌水システム。
【請求項１０】
前記ドリップチューブは、チューブ本体と、前記チューブ本体内に設けられるドリッパとを有し、
前記チューブ本体には、その内外を連通し、かつ、前記複数点に対応する複数の連通孔が形成されており、
前記ドリッパは、前記チューブ本体内を流通する水の一部を減圧して前記連通孔に導く通路を有する、請求項１〜請求項９のいずれか１つに記載の灌水システム。
【請求項１１】
前記チューブ本体は、その外径が１０ｍｍ以上かつ２０ｍｍ以下の範囲内であり、その肉厚が０．８ｍｍ以上かつ１．５ｍｍ以下の範囲内である、請求項１０に記載の灌水システム。
【請求項１２】
前記ドリップチューブは可撓性を有する、請求項１〜請求項１１のいずれか１つに記載の灌水システム。
【請求項１３】
前記場所は、建築物の屋上の少なくとも一部である、請求項１〜請求項１２のいずれか１つに記載の灌水システム。
【発明の詳細な説明】
【技術分野】
【０００１】
本発明は、植物が生育する場所にて点滴灌水を行うための灌水システムに関する。
【背景技術】
【０００２】
特許文献１は屋上緑化に関する技術を開示している。特許文献１の段落番号００１４には、灌水用の給水管としてドリップチューブを用いることが記載されている。
前述のドリップチューブは、例えば、チューブ本体と、チューブ本体内に設けられるドリッパとを備える。チューブ本体には、その内外を連通する複数の連通孔が形成されている。ドリッパは、チューブ本体内を流通する水の一部を減圧して連通孔に導く通路を有する。これらの構成により、ドリップチューブは、そのチューブ本体内を流通する水の一部をドリッパ及び前記連通孔を介して外部に点滴状に滴下させることができる。このようなドリップチューブは、特許文献２，３に開示されている。
【先行技術文献】
【特許文献】
【０００３】
【特許文献１】特開２００８−０１７８１２号公報
【特許文献２】特開２０１５−０６２３６９号公報
【特許文献３】特開２０１０−０４６０９４号公報
【発明の概要】
【発明が解決しようとする課題】
【０００４】
ところで、従来、植物が生育する場所にてドリップチューブを用いて点滴灌水（ドリップ灌水）を行う場合には、例えば、図８に示す灌水システム１００を用いていた。ここで、図８は、植物が生育する場所に対応する灌水対象領域１０１の上面図に対応するものであり、図８に示す従来の灌水システム１００は、図示しない水供給源に配管１０２を介して接続されたヘッダー管１０３と、ヘッダー管１０３の複数の分岐部１０４の各々から分岐する分岐管１０５とを有する。この灌水システム１００では、例えば、ヘッダー管１０３がポリエチレン管で構成される一方、分岐管１０５がドリップチューブで構成される。また、分岐部１０４には、例えば、Ｔ字形の配管継手（図示せず）が用いられる。ここで、ヘッダー管１０３の両端部と、分岐管１０５のうち分岐部１０４側とは反対の側の端部とは、それぞれ、閉口している。ここで、灌水システム１００のうち、灌水対象領域１０１に直接的に点滴灌水する部分を点滴灌水部１０６と称する。灌水システム１００の点滴灌水部１０６は、ヘッダー管１０３と分岐管１０５とからなり、図８に示すように、上面視で櫛歯形をなして灌水対象領域１０１上に配置される。
【０００５】
図９は、点滴灌水部１０６における分岐部１０４の個数（換言すれば分岐管１０５の本数）と、点滴灌水部１０６における管内水流の圧力損失（換言すればヘッダー管１０３及び分岐管１０５における管内水流の圧力損失）との関係を示す。ここで、図９では、隣り合う分岐管１０５同士の間の距離を一定とし、かつ、各分岐管１０５の長さを一定としている。図９に示すように、灌水システム１００では、分岐部１０４の個数及び分岐管１０５の本数が多くなるほど、点滴灌水部１０６における管内水流の圧力損失が幾何級数的に増大するという問題があった。
本発明は、このような実状に鑑み、灌水システムの点滴灌水部における管内水流の圧力損失を低減することを目的とする。
【課題を解決するための手段】
【０００６】
そのため本発明の第１の態様では、灌水システムは、植物が生育する場所の表面上に設けられて、水供給源からの水を長手方向の複数点にて点滴状に滴下可能なドリップチューブを有する。ドリップチューブは、前記表面に沿ってつづら折り状に延びている。
【０００７】
本発明の第２の態様では、灌水システムは、植物が生育する場所に埋設されて、水供給源からの水を長手方向の複数点にて点滴状に前記場所中に供給可能なドリップチューブを有する。ドリップチューブは、前記場所中にてつづら折り状に延びている。
【発明の効果】
【０００８】
本発明によれば、灌水システムの点滴灌水部を構成し得るドリップチューブが、植物が生育する場所にてつづら折り状に延びている。これにより、前述の分岐部が大幅に削減されるので、ドリップチューブを含む灌水システムの点滴灌水部での管内水流の圧力損失を低減することができる。
【図面の簡単な説明】
【０００９】
【図１】本発明の第１実施形態における灌水システムの概略構成を示す図
【図２】同上実施形態における灌水システムの点滴灌水部の概略構成を示す図
【図３】同上実施形態における灌水システムの点滴灌水部の概略構成を示す図
【図４】植生基材を収容したトレイの概略構成を示す図
【図５】ドリップチューブの概略構成を示す図
【図６】ドリップチューブの敷設長さと必要入水圧との関係を示す図
【図７】従来の灌水システムの一例の概略構成を示す図
【図８】従来の灌水システムの点滴灌水部の一例の概略構成を示す図
【図９】分岐部の個数と点滴灌水部における管内水流の圧力損失との関係を示す図
【図１０】本発明の第２実施形態における灌水システムの概略構成を示す図
【図１１】同上実施形態における灌水システムの点滴灌水部の概略構成を示す図
【発明を実施するための形態】
【００１０】
以下に本発明の実施の形態を図面に基づいて説明する。
図１は、本発明の第１実施形態における灌水システム１の概略構成を示す。図２及び図３は、それぞれ、灌水システム１の点滴灌水部９ａ，９ｂの概略構成を示す。ここで、図１には、ドリップチューブ１０ａ〜１０ｃの各々が図示簡略化のため直線状で示されているが、これらは実際には図２及び図３に示すように灌水対象領域２ａ，２ｂをその上方から見たときにつづら折り状をなすように延びている。
【００１１】
また、本実施形態では、灌水システム１によって灌水が行われる場所（植物が生育する場所）の一例として、建築物の屋上（例えば、マンションなどのビルや戸建て住宅などの屋上）の少なくとも一部を例に挙げて以下説明するが、灌水システム１によって灌水される場所はこれに限らない。また、灌水システム１によって灌水が行われる植物の例として、メキシコ万年草、玉竜、芝生などの地被植物を挙げることができる。
【００１２】
本実施形態において、灌水システム１は、建築物の屋上に予め設けられた灌水対象領域２ａ，２ｂにて灌水を行うためのものである。
灌水対象領域２ａは、図２に示すように、上面視で矩形状をなしている。灌水対象領域２ａは、例えば、縦の長さＬ１が２０ｍであり、横の長さＬ２が３．５ｍである。
灌水対象領域２ｂは、図３に示すように、上面視で矩形状をなしている。灌水対象領域２ｂは、例えば、縦の長さＬ３が１８ｍであり、横の長さＬ４が５ｍである。
ここで、灌水対象領域２ａ，２ｂが本発明の「植物が生育する場所」に対応する。また、灌水システム１によって灌水が行われる領域（灌水対象領域）の形状、個数、及び寸法はこれに限らない。
【００１３】
ここで、灌水対象領域２ａ，２ｂの構成の一例について、図４を用いて説明する。図４（Ａ）は、トレイ３１及びそれに収容された植生基材３２を示す上面図である。図４（Ｂ）は、図４（Ａ）のＩ−Ｉ断面図である。
トレイ３１は、上面開口の矩形箱状であり、例えば、縦の長さが５００ｍｍであり、横の長さが５００ｍｍであり、高さが１００ｍｍである。尚、トレイ３１の形状及び寸法はこれに限らない。
【００１４】
トレイ３１内には植生基材３２が収容されている。本実施形態では、植生基材３２は、植物が生育する土壌である。しかしながら、植生基材３２はこれに限らず、例えば、ハイポネックス（登録商標）培地などの培地であってもよい。
灌水対象領域２ａについては、例えば、建築物の屋根上に、トレイ３１を縦に４０個、横に７個のマトリクス状に敷設することによって、縦の長さＬ１が２０ｍであり、かつ、横の長さＬ２が３．５ｍである灌水対象領域２ａが形成される。
灌水対象領域２ｂについては、例えば、建築物の屋根上に、トレイ３１を縦に３６個、横に１０個のマトリクス状に敷設することによって、縦の長さＬ３が１８ｍであり、かつ、横の長さＬ４が５ｍである灌水対象領域２ｂが形成される。
ここで、本発明の「植物が生育する場所の表面」及び「植物が生育する場所の植生基材の表面」が、図３に示す植生基材３２の表面３３に対応する。
【００１５】
図１に戻り、灌水システム１は、配管３，５，５ａ，５ｂと、開閉弁４と、電磁弁６ａ，６ｂと、ドリップチューブ１０ａ〜１０ｃと、制御装置４０と有する。
配管３は、その上流側端部が水供給源に接続されている一方、下流側端部が開閉弁４の入口側に接続されている。ここで、本実施形態では、水供給源が上水道であるとして以下説明するが、水供給源はこれに限らない。例えば、水供給源は、建築物の屋上に設置されて水を貯留可能な水タンクと、水タンク内の水を加圧するポンプとを有し得る。
【００１６】
配管５は、その上流側端部が開閉弁４の出口側に接続されている一方、下流側端部が分岐部５ｐに接続されている。ここで、分岐部５ｐは、１つの入口部と２つの出口部とを有するＴ字形の配管継手によって構成されており、この配管継手の入口部に配管５の下流側端部が接続され、配管継手の一方の出口部に配管５ａの上流側端部が接続されて、配管継手の他方の出口部に配管５ｂの上流側端部が接続される。
【００１７】
配管５ａの途中には電磁弁６ａが設けられている。配管５ａの下流側端部は接続部７ａに接続されている。ここで、接続部７ａは、配管５ａの下流側端部とドリップチューブ１０ａの上流側端部とを接続する配管継手により構成され得る。ドリップチューブ１０ａは、灌水対象領域２ａの表面上（詳しくは、トレイ３１内の植生基材３２の表面３３上）にその表面に沿ってつづら折り状に延びている（図２参照）。
【００１８】
配管５ｂの途中には電磁弁６ｂが設けられている。配管５ｂの下流側端部は接続部７ｂに接続されている。ここで、接続部７ｂは、配管５ｂの下流側端部とドリップチューブ１０ｂ，１０ｃの上流側端部とを接続するＴ字形の配管継手により構成され得る。ドリップチューブ１０ｂ，１０ｃは、灌水対象領域２ｂの表面上（詳しくは、トレイ３１内の植生基材３２の表面３３上）にその表面に沿ってつづら折り状に延びている。
【００１９】
制御装置４０はタイマー部４１（例えば、いわゆる年間タイマー）を備えている。タイマー部４１では、電磁弁６ａ，６ｂを開閉させるタイミング（例えば日時）を設定することができる。制御装置４０は、タイマー部４１にて設定された電磁弁６ａ，６ｂの開閉のタイミングに応じて、電磁弁６ａ，６ｂの各々を開弁・閉弁させる。
【００２０】
開閉弁４が開弁状態であるときに、電磁弁６ａが開弁状態となると、水供給源からの水が、配管３，５，５ａを経てドリップチューブ１０ａに供給されて、ドリップチューブ１０ａから灌水対象領域２ａへ点滴状に滴下される。一方、開閉弁４が開弁状態であるときに、電磁弁６ａが閉弁状態となると、ドリップチューブ１０ａから灌水対象領域２ａへの水の点滴状の滴下が止まる。
【００２１】
開閉弁４が開弁状態であるときに、電磁弁６ｂが開弁状態となると、水供給源からの水が、配管３，５，５ｂを経てドリップチューブ１０ｂ，１０ｃに供給されて、ドリップチューブ１０ｂ，１０ｃから灌水対象領域２ｂへ点滴状に滴下される。一方、開閉弁４が開弁状態であるときに、電磁弁６ｂが閉弁状態となると、ドリップチューブ１０ｂ，１０ｃから灌水対象領域２ｂへの水の点滴状の滴下が止まる。
【００２２】
開閉弁４が閉弁状態であるときには、水供給源からドリップチューブ１０ａ〜１０ｃへの水の供給が停止される。ここで、本実施形態では開閉弁４は手動で開閉されるものであるが、この他、開閉弁４を電磁弁として、制御装置４０を用いて弁の開閉を制御してもよい。
【００２３】
ここにおいて、灌水システム１のうち、灌水対象領域２ａに直接的に点滴灌水する部分を点滴灌水部９ａと称する。点滴灌水部９ａはドリップチューブ１０ａにより構成されている。点滴灌水部９ａ（ドリップチューブ１０ａ）は灌水対象領域２ａの略全域にわたるように配置されている。
また、灌水システム１のうち、灌水対象領域２ｂに直接的に点滴灌水する部分を点滴灌水部９ｂと称する。点滴灌水部９ｂはドリップチューブ１０ｂ，１０ｃにより構成されている。点滴灌水部９ｂ（ドリップチューブ１０ｂ，１０ｃ）は灌水対象領域２ｂの略全域にわたるように配置されている。
【００２４】
次に、ドリップチューブ１０ａ〜１０ｃとして用いられるドリップチューブ１０について、図５を用いて説明する。
図５（Ａ）は、ドリップチューブ１０の概略構成を示す図である。図５（Ｂ）は、図５（Ａ）のＩＩ−ＩＩ断面図である。
【００２５】
ドリップチューブ１０は、円管状のチューブ本体１１と、ドリッパ１２とにより構成される。
チューブ本体１１は、樹脂製（例えばポリエチレン製）であり、可撓性を有する。チューブ本体１１は、その外径が１０ｍｍ以上かつ２０ｍｍ以下の範囲内であることが好ましい。また、チューブ本体１１は、その肉厚（径方向での厚さ）が０．８ｍｍ以上かつ１．５ｍｍ以下の範囲内であることが好ましい。
【００２６】
チューブ本体１１には、その内外を連通する複数の連通孔１３が形成されている。本実施形態では、チューブ本体１１の長手方向に沿って、複数の連通孔１３が互いに間隔Ｌｐを空けて１列に並ぶように、チューブ本体１１に形成されている。この間隔（ドリップピッチ）Ｌｐは、１００ｍｍ以上かつ７５０ｍｍ以下の範囲内であることが好ましい。
【００２７】
ドリッパ１２は、チューブ本体１１内を流通する水を、予め設定された流量で、植生基材３２に点滴状に供給するためのものである。本実施形態では、ドリッパ１２は、チューブ本体１１の内壁面に接着されている。しかしながら、ドリッパ１２は、チューブ本体１１に外側から突き刺して使用されてもよい。
【００２８】
本実施形態では、ドリッパ１２は、チューブ本体１１内を流通する水の一部を減圧して連通孔１３に導く通路（図示せず）を有する。このようなドリッパ１２の構成は、例えば、前述の特許文献２，３に開示されており、周知であるので、その説明を省略する。
従って、ドリップチューブ１０は、チューブ本体１１内を流通する水を、ドリップチューブ１０（チューブ本体１１）の長手方向の複数点にて、植生基材３２に、点滴状に滴下可能（すなわち供給可能）である。また、チューブ本体１１には、前述の複数点に対応する複数の連通孔１３が形成されている。
【００２９】
図６は、ドリップチューブ１０の敷設長さと、予め設定された点滴量（ドリップ量）を得るために必要なドリップチューブ１０への入水圧（必要入水圧）との関係を示す図である。ここで、必要入水圧はゲージ圧である。また、この関係図を得る際には、ドリップチューブ１０の一端側が入水側として開口している一方、他端側が折り返されるなどして塞がれている。
【００３０】
図６に示す実線Ｔ１は、チューブ本体１１の外径が１７ｍｍであり、肉厚が１．２ｍｍであり、前述のドリップ量が０．７リットル／時間／孔であり、ドリップピッチＬｐが５００ｍｍであるドリップチューブ１０（ネタフィム社製）に関するものである。
図６に示す実線Ｔ２は、チューブ本体１１の外径が１７ｍｍであり、肉厚が１．２ｍｍであり、前述のドリップ量が１．０リットル／時間／孔であり、ドリップピッチＬｐが５００ｍｍであるドリップチューブ１０（ネタフィム社製）に関するものである。
【００３１】
図６に示す実線Ｔ３は、チューブ本体１１の外径が１７ｍｍであり、肉厚が１．２ｍｍであり、前述のドリップ量が１．６リットル／時間／孔であり、ドリップピッチＬｐが５００ｍｍであるドリップチューブ１０（ネタフィム社製）に関するものである。
図６に示す実線Ｔ４は、チューブ本体１１の外径が１７ｍｍであり、肉厚が１．２ｍｍであり、前述のドリップ量が２．３リットル／時間／孔であり、ドリップピッチＬｐが５００ｍｍであるドリップチューブ１０（ネタフィム社製）に関するものである。
【００３２】
図６に示す実線Ｔ５は、チューブ本体１１の外径が１７ｍｍであり、肉厚が１．２ｍｍであり、前述のドリップ量が０．７リットル／時間／孔であり、ドリップピッチＬｐが２５０ｍｍであるドリップチューブ１０（ネタフィム社製）に関するものである。
ここで、図６に示すように、実線Ｔ１〜Ｔ５に対応するドリップチューブ１０の各々については、前述のドリップ量を得るための最小の必要入水圧が０．４ｂａｒ程度である。すなわち、ドリップチューブ１０への入水圧が０．４ｂａｒを下回ると、前述のドリップ量を確保することが難しくなる。
【００３３】
図６の実線Ｔ１〜Ｔ４において必要入水圧を一定とした場合には、前述のドリップ量が増加するほど、ドリップチューブ１０の敷設長さが短くなることがわかる。例えば、実線Ｔ１に対応するドリップチューブ１０では、入水圧が１．５ｂａｒ程度であるときに、ドリップ量０．７リットル／時間／孔の性能を確保しつつ、３００ｍ程度の敷設が可能であるのに対し、実線Ｔ４に対応するドリップチューブ１０では、入水圧が１．５ｂａｒ程度であるときに、ドリップ量２．３リットル／時間／孔の性能を確保しようとすると、１３０ｍ程度までしか敷設できない。
【００３４】
図６の実線Ｔ１，Ｔ５において必要入水圧を一定とした場合には、ドリップピッチＬｐが減少するほど、ドリップチューブ１０の敷設長さが短くなることがわかる。例えば、実線Ｔ１に対応するドリップチューブ１０（ドリップピッチＬｐが５００ｍｍ）では、入水圧が１．５ｂａｒ程度であるときに、ドリップ量０．７リットル／時間／孔の性能を確保しつつ、３００ｍ程度の敷設が可能であるのに対し、実線Ｔ５に対応するドリップチューブ１０（ドリップピッチＬｐが２５０ｍｍ）では、入水圧が１．５ｂａｒ程度であるときに、ドリップ量０．７リットル／時間／孔の性能を確保しようとすると、１６０ｍ程度までしか敷設できない。
【００３５】
従って、ドリップチューブ１０ａ〜１０ｃに供給可能な入水圧と、必要とするドリップ量及びドリップピッチＬｐとに基づいて、例えば図６を用いて、ドリップチューブ１０の敷設長さを決定することができる。
【００３６】
図２に示すように、ドリップチューブ１０ａは、灌水対象領域２ａの縦方向に延びる直線部１７と、半円状に湾曲する湾曲部１８とが交互に連続するつづら折り状に延びている。また、ドリップチューブ１０ａは、灌水対象領域２ａの表面に沿って（詳しくは、灌水対象領域２ａを構成する複数のトレイ３１内の植生基材３２の表面３３に沿って）延びている。また、ドリップチューブ１０ａは、当該表面３３上に敷設されている。ドリップチューブ１０ａの下流側端部１９は折り返されるなどして塞がれている。
【００３７】
本実施形態では、灌水対象領域２ａを構成する各トレイ３１の中央部３４（図４（Ａ）参照）の直上にドリップチューブ１０ａの一部が位置するように、ドリップチューブ１０ａが灌水対象領域２ａ上に配置される。この点は、灌水対象領域２ｂを構成する各トレイ３１の中央部３４とドリップチューブ１０ｂ，１０ｃとについても同様である。
【００３８】
本実施形態では、隣り合う直線部１７同士は、互いに５００ｍｍ程度の間隔を空けて平行に延びている。また、湾曲部１８の半円状については、その半径（最小半径）が１５０ｍｍ以上であることが好ましい。本実施形態では、当該半径は約２５０ｍｍである。
本実施形態において、ドリップチューブ１０ａの長さは約１４０ｍである。
【００３９】
図３に示すように、ドリップチューブ１０ｂは、灌水対象領域２ｂの横方向に延びる直線部２１と、半円状に湾曲する湾曲部２２とが交互に連続するつづら折り状に延びている。また、ドリップチューブ１０ｂは、灌水対象領域２ｂの表面に沿って（詳しくは、灌水対象領域２ｂを構成する複数のトレイ３１内の植生基材３２の表面３３に沿って）延びている。また、ドリップチューブ１０ｂは、当該表面３３上に敷設されている。ドリップチューブ１０ｂの下流側端部２３は折り返されるなどして塞がれている。
【００４０】
本実施形態では、隣り合う直線部２１同士は、互いに５００ｍｍ程度の間隔を空けて平行に延びている。また、湾曲部２２の半円状については、その半径（最小半径）が１５０ｍｍ以上であることが好ましい。本実施形態では、当該半径は約２５０ｍｍである。
本実施形態において、ドリップチューブ１０ｂの長さは約７５ｍである。
【００４１】
図３に示すように、ドリップチューブ１０ｃは、灌水対象領域２ｂの横方向に延びる直線部２５と、半円状に湾曲する湾曲部２６とが交互に連続するつづら折り状に延びている。また、ドリップチューブ１０ｃは、灌水対象領域２ｂの表面に沿って（詳しくは、灌水対象領域２ｂを構成する複数のトレイ３１内の植生基材３２の表面３３に沿って）延びている。また、ドリップチューブ１０ｃは、当該表面３３上に敷設されている。ドリップチューブ１０ｃの下流側端部２７は折り返されるなどして塞がれている。
【００４２】
本実施形態では、隣り合う直線部２５同士は、互いに５００ｍｍ程度の間隔を空けて平行に延びている。また、湾曲部２６の半円状については、その半径（最小半径）が１５０ｍｍ以上であることが好ましい。本実施形態では、当該半径は約２５０ｍｍである。
本実施形態において、ドリップチューブ１０ｃの長さは約１０５ｍである。
【００４３】
次に、本実施形態による効果について図７を用いて説明する。
図７は、従来の灌水システム１００’の概略構成を示す。ここで、図７には、４つの点滴灌水部１０６の各々が図示簡略化のため直線状で示されているが、これらは実際には図８に示すように櫛歯形をなしている。
図１に示した本実施形態の灌水システム１と異なる点について説明する。
【００４４】
従来の灌水システム１００’では、その点滴灌水部１０６が櫛歯形であったので（図７及び図８参照）、多数の分岐部１０４の存在により、点滴灌水部１０６における管内水流の圧力損失が大きかった。それゆえ、分岐管１０５（ドリップチューブ）での前述の必要入水圧を確保するべく、灌水対象領域２ａ，２ｂをそれぞれ細分化していた（例えば、灌水対象領域２ａ−１，２ａ−２，２ｂ−１，２ｂ−２に小分けにしていた）。ここで、図７に示す灌水システム１００’においては、分岐部５ｐから分岐する配管５ａ、電磁弁６ａ、点滴灌水部１０６が、灌水対象領域２ａ−１，２ａ−２に対応するように二重化されている。同様に、分岐部５ｐから分岐する配管５ｂ、電磁弁６ｂ、点滴灌水部１０６についても、灌水対象領域２ｂ−１，２ｂ−２に対応するように二重化されている。
【００４５】
この点、本実施形態によれば、点滴灌水部９ａ，９ｂを構成するドリップチューブ１０ａ〜１０ｃがつづら折り状に延びるように、灌水対象領域２ａ，２ｂ上に配置される（図２及び図３参照）。これにより、前述の分岐部１０４が大幅に削減されるので、点滴灌水部での管内水流の圧力損失を低減することができる。従って、例えば、図７に示す配管５ａ，５ｂ、電磁弁６ａ，６ｂ、点滴灌水部１０６の各々の二重化が不要となり、図１に示すように、シンプルなシステム構成とすることができるので、灌水システムの部品点数の低減と、それに伴う灌水システムの設置コストの低減とを実現することができる。
【００４６】
本実施形態によれば、灌水システム１は、植物が生育する場所の表面上（表面３３上）に設けられて、水供給源からの水を点滴状に前記場所に滴下可能なドリップチューブ１０ａ〜１０ｃを有する。ここで、ドリップチューブ１０ａ〜１０ｃは、その長手方向の複数点にて水を点滴状に前記場所に滴下可能である。ドリップチューブ１０ａ〜１０ｃは、植物が生育する場所の表面上（表面３３上）に沿ってつづら折り状に延びている。これにより、前述の分岐部１０４が大幅に削減されるので、灌水システム１の点滴灌水部９ａ，９ｂでの管内水流の圧力損失を低減することができる。
【００４７】
また本実施形態によれば、例えばドリップチューブ１０ａは、植物が生育する場所の表面上（表面３３上）に沿って、直線部１７と湾曲部１８とが交互に連続するつづら折り状に延びており、隣り合う直線部１７同士が互いに平行に延びている。これにより、隣り合う直線部１７同士の間の間隔を一定とすることができる。
【００４８】
また本実施形態によれば、例えば湾曲部１８は半円状に湾曲している。これにより、湾曲部１８における管内水流の圧力損失の増大を抑制することができる。
また本実施形態によれば、前記半円状における半径が１５０ｍｍ以上である。これにより、例えば湾曲部１８での屈曲による管内水流の圧力損失の増大を抑制することができる。
【００４９】
また本実施形態によれば、ドリップチューブ１０は、チューブ本体１１と、チューブ本体１１内に設けられるドリッパ１２とを有する。チューブ本体１１には、その内外を連通し、かつ、前記複数点に対応する複数の連通孔１３が形成されている。ドリッパ１２は、チューブ本体１１内を流通する水の一部を減圧して連通孔１３に導く通路を有する。これにより、点滴灌水用のドリップチューブ１０を簡素な構成とすることができる。尚、本実施形態では、ドリッパ１２の形状が、扁平な矩形箱状であるが、ドリッパ１２の形状はこれに限らず、例えば、円筒状であってもよい。
【００５０】
また本実施形態によれば、チューブ本体１１は、その外径が１０ｍｍ以上かつ２０ｍｍ以下の範囲内である。また、チューブ本体１１の肉厚が０．８ｍｍ以上かつ１．５ｍｍ以下の範囲内である。これにより、灌水対象領域２ａ，２ｂへのドリップチューブ１０ａ〜１０ｃの敷設作業を比較的簡易に行うことができる。
また本実施形態によれば、ドリップチューブ１０ａ〜１０ｃは可撓性を有する。これにより、ドリップチューブ１０ａ〜１０ｃを灌水対象領域２ａ，２ｂ上につづら折り状に容易に敷設することができる。
【００５１】
また本実施形態によれば、ドリップチューブ１０ａ〜１０ｃが設けられる場所（植物が生育する場所）の表面は、植物が生育する場所における植生基材３２の表面３３である。ゆえに、ドリップチューブ１０ａ〜１０ｃを植生基材３２に埋設することなく、ドリップチューブ１０ａ〜１０ｃを用いて植生基材３２に水を供給することができる。尚、ドリップチューブ１０ａ〜１０ｃについては、植物の生育が進むにつれて、その下に隠れ得る。
【００５２】
また本実施形態によれば、植生基材３２が土壌である。これにより、植物を良好に生育させることができる。
また本実施形態によれば、灌水システム１の灌水対象である場所（植物が生育する場所）は、建築物の屋上の少なくとも一部である。このような、灌水用の水の圧力（換言すれば、ドリップチューブ１０ａ〜１０ｃへの入水圧）に制限がある場所においても、点滴灌水部９ａ，９ｂでの管内水流の圧力損失が比較的少ない前述の灌水システム１を用いることができる。
【００５３】
次に、本発明の第２実施形態について、図１０及び図１１を用いて説明する。
図１０は、本発明の第２実施形態における灌水システム１’の概略構成を示す。図１１は、灌水システム１’の点滴灌水部９ｄ〜９ｇの概略構成を示す。ここで、図１０には、点滴灌水部９ｄ〜９ｇが図示簡略化のため直線状で示されているが、これは実際には図１１に示すように、灌水対象領域２ｄ（２ｄ−１〜２ｄ−４）をその上方から見たときに、つづら折り状をなしている。
前述の第１実施形態と異なる点について説明する。
【００５４】
本実施形態において、灌水システム１’は、灌水対象領域２ｄにて灌水を行うためのものである。
灌水対象領域２ｄは、図１１に示すように、上面視で矩形状をなしている。灌水対象領域２ｄは、例えば、縦の長さＬ５が１００ｍであり、横の長さＬ６が５０ｍである。
ここで、灌水対象領域２ｄが本発明の「植物が生育する場所」に対応する。また、灌水システム１’によって灌水が行われる領域（灌水対象領域）の形状、個数、及び寸法はこれに限らない。
【００５５】
灌水対象領域２ｄについては、例えば、前述のトレイ３１を縦に２００個、横に１００個のマトリクス状に敷設することによって、縦の長さＬ５が１００ｍであり、かつ、横の長さＬ６が５０ｍである灌水対象領域２ｄが形成される。
灌水対象領域２ｄは、図１１に示すように、横方向に４つの灌水対象領域２ｄ−１〜２ｄ−４に分割されている。従って、灌水対象領域２ｄ−１〜２ｄ−４の各々の縦の長さＬ５は、例えば１００ｍである。
【００５６】
図１０に戻り灌水システム１’は、配管３，５，５ｄ〜５ｆと、開閉弁４と、電磁弁６ｄ〜６ｆと、点滴灌水部９ｄ〜９ｇと、制御装置４０と有する。
配管５は、その下流側端部に設けられた分岐部５ｐ’を介して、配管５ｄ〜５ｆに分岐する。
配管５ｄ〜５ｇの途中には、それぞれ、電磁弁６ｄ〜６ｇが設けられている。配管５ｄ〜５ｇの各々の下流側端部には、接続部７ｄ〜７ｇを介して、点滴灌水部９ｄ〜９ｇが接続されている。
【００５７】
本実施形態において、点滴灌水部９ｄは、ヘッダー管１５ｄと、複数（図１１では７本）のドリップチューブ１０ｄとにより構成されている。ドリップチューブ１０ｄには、例えば、チューブ本体１１の外径が１７ｍｍであり、肉厚が１．２ｍｍであり、前述のドリップ量が０．７リットル／時間／孔であり、ドリップピッチＬｐが５００ｍｍであるドリップチューブ１０（すなわち、図６に示す実線Ｔ１に対応するドリップチューブ１０）が採用される。
【００５８】
ヘッダー管１５ｄは横方向に延びており、その両端が閉口している。
ドリップチューブ１０ｄは、各々が、２つの直線部２８と１つの湾曲部２９とからなるつづら折り状（換言すればＵ字状、又はＪ字状）に延びている。ドリップチューブ１０ｄでは、２つの直線部２８同士が互いに平行に延びている。本実施形態では、直線部２８は縦方向に延びている。湾曲部２９は半円状に湾曲している。ドリップチューブ１０ｄの長さは約２００ｍである。
ドリップチューブ１０ｄは、その一端部（上流側端部）がヘッダー管１５ｄに接続されており、他端部（下流側端部３０）が折り返されるなどして塞がれている。
【００５９】
点滴灌水部９ｄでは、複数のドリップチューブ１０ｄの一端部（上流側端部）が、ヘッダー管１５ｄの長手方向に互いに間隔を空けて、ヘッダー管１５ｄに接続されている。このようにして、点滴灌水部９ｄのドリップチューブ１０ｄは、灌水対象領域２ｄ−１の表面上（詳しくは、トレイ３１内の植生基材３２の表面３３上）にその表面に沿ってつづら折り状に延びている。また、ドリップチューブ１０ｄは、当該表面３３上に敷設されている。
【００６０】
本実施形態において、点滴灌水部９ｅ〜９ｇは、ヘッダー管１５ｄと、複数（図１１では６本）のドリップチューブ１０ｄとにより構成されている。点滴灌水部９ｅ〜９ｇの構成については、ドリップチューブ１０ｄの本数以外は前述の点滴灌水部９ｄと同様であるので、その説明を省略する。
【００６１】
従って、点滴灌水部９ｅのドリップチューブ１０ｄは、灌水対象領域２ｄ−２の表面上（詳しくは、トレイ３１内の植生基材３２の表面３３上）にその表面に沿ってつづら折り状に延びている。また、点滴灌水部９ｆのドリップチューブ１０ｄは、灌水対象領域２ｄ−３の表面上（詳しくは、トレイ３１内の植生基材３２の表面３３上）にその表面に沿ってつづら折り状に延びている。更に、点滴灌水部９ｇのドリップチューブ１０ｄは、灌水対象領域２ｄ−４の表面上（詳しくは、トレイ３１内の植生基材３２の表面３３上）にその表面に沿ってつづら折り状に延びている。また、点滴灌水部９ｅ〜９ｇの各々のドリップチューブ１０ｄは、表面３３上に敷設されている。
【００６２】
制御装置４０のタイマー部４１では、電磁弁６ｄ〜６ｇを開閉させるタイミング（例えば日時）を設定することができる。制御装置４０は、タイマー部４１にて設定された電磁弁６ｄ〜６ｇの開閉のタイミングに応じて、電磁弁６ｄ〜６ｇの各々を開弁・閉弁させる。
【００６３】
開閉弁４が開弁状態であるときに、電磁弁６ｄが開弁状態となると、水供給源からの水が、配管３，５，５ｄを経て点滴灌水部９ｄのドリップチューブ１０ｄに供給されて、ドリップチューブ１０ｄから灌水対象領域２ｄ−１へ点滴状に滴下される。一方、開閉弁４が開弁状態であるときに、電磁弁６ｄが閉弁状態となると、点滴灌水部９ｄのドリップチューブ１０ｄから灌水対象領域２ｄ−１への水の点滴状の滴下が止まる。
【００６４】
開閉弁４が開弁状態であるときに、電磁弁６ｅが開弁状態となると、水供給源からの水が、配管３，５，５ｅを経て点滴灌水部９ｅのドリップチューブ１０ｄに供給されて、ドリップチューブ１０ｄから灌水対象領域２ｄ−２へ点滴状に滴下される。一方、開閉弁４が開弁状態であるときに、電磁弁６ｅが閉弁状態となると、点滴灌水部９ｅのドリップチューブ１０ｄから灌水対象領域２ｄ−２への水の点滴状の滴下が止まる。
【００６５】
開閉弁４が開弁状態であるときに、電磁弁６ｆが開弁状態となると、水供給源からの水が、配管３，５，５ｆを経て点滴灌水部９ｆのドリップチューブ１０ｄに供給されて、ドリップチューブ１０ｄから灌水対象領域２ｄ−３へ点滴状に滴下される。一方、開閉弁４が開弁状態であるときに、電磁弁６ｆが閉弁状態となると、点滴灌水部９ｆのドリップチューブ１０ｄから灌水対象領域２ｄ−３への水の点滴状の滴下が止まる。
【００６６】
開閉弁４が開弁状態であるときに、電磁弁６ｇが開弁状態となると、水供給源からの水が、配管３，５，５ｇを経て点滴灌水部９ｇのドリップチューブ１０ｄに供給されて、ドリップチューブ１０ｄから灌水対象領域２ｄ−４へ点滴状に滴下される。一方、開閉弁４が開弁状態であるときに、電磁弁６ｇが閉弁状態となると、点滴灌水部９ｇのドリップチューブ１０ｄから灌水対象領域２ｄ−４への水の点滴状の滴下が止まる。
【００６７】
開閉弁４が閉弁状態であるときには、水供給源から点滴灌水部９ｄ〜９ｇのドリップチューブ１０ｄへの水の供給が停止される。ここで、本実施形態では開閉弁４は手動で開閉されるものであるが、この他、開閉弁４を電磁弁として、制御装置４０を用いて弁の開閉を制御してもよい。
【００６８】
ここにおいて、灌水システム１’のうち、灌水対象領域２ｄ−１に直接的に点滴灌水する部分を点滴灌水部９ｄと称している。点滴灌水部９ｄはドリップチューブ１０ｄを含んで構成されている。点滴灌水部９ｄ（ドリップチューブ１０ｄ）は灌水対象領域２ｄ−１の略全域にわたるように配置されている。
【００６９】
同様に、灌水システム１’のうち、灌水対象領域２ｄ−２〜２ｄ−４に直接的に点滴灌水する部分を、それぞれ、点滴灌水部９ｅ〜９ｇと称している。点滴灌水部９ｅ〜９ｇは、各々が、ドリップチューブ１０ｄを含んで構成されている。点滴灌水部９ｅ〜９ｇ（ドリップチューブ１０ｄ）は、各々が、灌水対象領域２ｄ−２〜２ｄ−４の略全域にわたるように配置されている。
【００７０】
特に本実施形態によれば、縦の長さＬ５が１００ｍであり、かつ、横の長さＬ６が５０ｍであるような、広範囲な灌水対象領域２ｄに灌水を行うための灌水システムを構築するにあたり、わずか４つの電磁弁６ｄ〜６ｇで済ますことができる。それゆえ、シンプルなシステム構成とすることができるので、灌水システムの部品点数の低減と、それに伴う灌水システムの設置コストの低減とを実現することができる。
【００７１】
尚、前述の第１及び第２実施形態における灌水システム１，１’は、メキシコ万年草、玉竜、芝生などの地被植物の灌水用として好適であるが、灌水対象の植物はこれに限定されない。農作物の灌水にて前述の灌水システム１，１’を用いてもよいことは言うまでもない。
【００７２】
また、前述の第１及び第２実施形態において、ドリップチューブ１０ａ〜１０ｄのつづら折り状の配置を保持するために、図示しない固定手段を用いて、ドリップチューブ１０ａ〜１０ｄを、灌水対象領域２ａ，２ｂ，２ｄの表面上（表面３３上）に固定してもよい。
【００７３】
また、前述の第１及び第２実施形態では、灌水対象領域２ａ，２ｂ，２ｄが、建築物の屋上（例えば、マンションなどのビルや戸建て住宅などの屋上）の少なくとも一部であったが、この灌水対象領域２ａ，２ｂ，２ｄとなる場所はこれに限らない。例えば、公園や広場などの植栽スペースであってもよい。又は、農地（ハウス栽培を含む）であってもよい。
【００７４】
前述の灌水システム１，１’において、灌水対象領域２ａ，２ｂ，２ｄが、例えば、公園や広場などの植栽スペース、又は、農地などの、区画された土地（平地）に対応する場合には、前述のドリップチューブ１０ａ〜１０ｄが、灌水対象領域２ａ，２ｂ，２ｄに埋設され得る。
【００７５】
この場合において、灌水システム１，１’は、灌水対象領域２ａ，２ｂ，２ｄ（すなわち、植物が生育する場所）に埋設されるドリップチューブ１０ａ〜１０ｄを有する。また、ドリップチューブ１０ａ〜１０ｄは、水供給源からの水を、当該チューブの長手方向の複数点にて点滴状に灌水対象領域２ａ，２ｂ，２ｄ中に供給可能である。そして、ドリップチューブ１０ａ〜１０ｄは、灌水対象領域２ａ，２ｂ，２ｄ中にてつづら折り状に延びる。この場合においても、灌水システム１，１’の点滴灌水部９ａ，９ｂ，９ｄ〜９ｇでの管内水流の圧力損失を低減することができる。
【００７６】
また、この場合において、ドリップチューブ１０ａ〜１０ｄは、灌水対象領域２ａ，２ｂ，２ｄ（すなわち、植物が生育する場所）の植生基材（土壌）中にて、略水平に、かつ、つづら折り状に延び得る。これにより、灌水対象領域２ａ，２ｂ，２ｄの略全域にわたって効率良く灌水を行うことができる。
【００７７】
尚、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００７８】
１，１’，１００，１００’  灌水システム
２ａ，２ｂ，２ｄ，１０１  灌水対象領域
３，１０２  配管
４  開閉弁
５，５ａ，５ｂ，５ｄ，５ｅ，５ｆ，５ｇ  配管
５ｐ，５ｐ’，１０４  分岐部
６ａ，６ｂ，６ｄ，６ｅ，６ｆ，６ｇ  電磁弁
７ａ，７ｂ，７ｄ，７ｅ，７ｆ，７ｇ  接続部
９ａ，９ｂ，９ｄ，９ｅ，９ｆ，９ｇ，１０６  点滴灌水部
１０，１０ａ〜１０ｄ  ドリップチューブ
１１  チューブ本体
１２  ドリッパ
１３  連通孔
１５ｄ，１０３  ヘッダー管
１７，２１，２５，２８  直線部
１８，２２，２６，２９  湾曲部
１９，２３，２７，３０  下流側端部
３１  トレイ
３２  植生基材
３３  表面
３４  中央部
４０  制御装置
４１  タイマー部
１０５  分岐管
【図１】
2017000044.tif 000003
【図２】
2017000044.tif 000004
【図３】
2017000044.tif 000005
【図４】
2017000044.tif 000006
【図５】
2017000044.tif 000007
【図６】
2017000044.tif 000008
【図７】
2017000044.tif 000009
【図８】
2017000044.tif 000010
【図９】
2017000044.tif 000011
【図１０】
2017000044.tif 000012
【図１１】
2017000044.tif 000013